(57)【要約】【課題】  適応フィルタによるマルチパスノイズ軽減での従来手法による技術的、性能的欠点を補い、無線電波の信号を快適に受信することを可能にする。【解決手段】マルチパス軽減装置２０では、受信信号をＡＤ変換器２４でアナログ信号からデジタル信号に変換して、ＡＤＦ２１でのデジタル信号処理でマルチパスノイズを軽減している。過変調判断手段２２による過変調判断時にはＡＤＦ動作をＯＦＦすることによって、歪み特性の悪化を防ぐ。マルチパスノイズ軽減と、それに伴う過変調時の歪み特性の悪化とを防止し、両立を可能にすることができる。【選択図】      図１
2006287654.tif 000002
【特許請求の範囲】
【請求項１】
振幅に変化が生じない変調方式の無線電波を受信する際に、無線電波の伝搬過程で生じるマルチパスの影響を軽減するために、受信信号の振幅変動分を検出しながら可変フィルタのフィルタ係数を振幅変動を抑えるように更新する動作を行う適応フィルタを備えるマルチパスノイズ軽減装置において、
適応フィルタの係数の変更が受信信号を劣化させる予め定める条件が成立しているか否かを判断し、条件が成立していると判断すると、適応フィルタの動作を抑止する条件判断手段を含むことを特徴とするマルチパスノイズ軽減装置。
【請求項２】
振幅に変化が生じない変調方式の無線電波を受信する際に、無線電波の伝搬過程で生じるマルチパスの影響を軽減するために、受信信号の振幅変動分を検出しながら可変フィルタのフィルタ係数を振幅変動を抑えるように更新する動作を行う適応フィルタを備えるマルチパスノイズ軽減装置において、
受信信号に、適応フィルタの係数の変更が受信信号を劣化させる予め定める条件としての過変調が生じているか否かを判断し、過変調が生じていると判断すると、適応フィルタの動作を抑止する過変調判断手段を含むことを特徴とするマルチパスノイズ軽減装置。
【請求項３】
前記過変調判断手段は、受信信号の周波数帯域幅と受信信号を処理する周波数帯域幅との比較に基づいて、過変調が生じているか否かを判断することを特徴とする請求項２記載のマルチパスノイズ軽減装置。
【請求項４】
前記受信信号を処理する周波数帯域幅は、予め定めるフィルタ関数に従って動作する可変帯域フィルタで規定され、
前記適応フィルタは、前記フィルタ係数の更新を、可変帯域フィルタのフィルタ関数の逆関数を用いて行うことを特徴とする請求項３記載のマルチパスノイズ軽減装置。
【請求項５】
前記過変調判断手段は、妨害波の状態に応じて、過変調が生じているか否かを判断することを特徴とする請求項２〜４のいずれか１つに記載のマルチパスノイズ軽減装置。
【請求項６】
前記過変調判断手段での過変調の判断は、時定数を設けて行うことを特徴とする請求項２〜５のいずれか１つに記載のマルチパスノイズ軽減装置。
【請求項７】
前記受信信号の電界強度が、前記適応フィルタの係数の変更が受信信号を劣化させる予め定める条件としての弱電界であるか否かを判断し、弱電界であると判断すると、適応フィルタの動作を抑止する弱電界判断手段をさらに含むことを特徴とする請求項２〜６のいずれか１つに記載のマルチパスノイズ軽減装置。
【請求項８】
振幅に変化が生じない変調方式の無線電波を受信する際に、無線電波の伝搬過程で生じるマルチパスの影響を軽減するために、受信信号の振幅変動分を検出しながら可変フィルタのフィルタ係数を振幅変動を抑えるように変更する適応フィルタを備えるマルチパスノイズ軽減装置において、
受信信号の電界強度が、適応フィルタの係数の変更が受信信号を劣化させる予め定める条件としての弱電界であるか否かを判断し、弱電界であると判断すると、適応フィルタの動作を抑止する弱電界判断手段を含むことを特徴とするマルチパスノイズ軽減装置。
【請求項９】
振幅に変化が生じない変調方式の無線電波を受信する際に、無線電波の伝搬過程で生じるマルチパスの影響を軽減するために、受信信号の振幅変動分を検出しながら可変フィルタのフィルタ係数を振幅変動を抑えるように変更する適応フィルタを備えるマルチパスノイズ軽減装置において、
受信信号の電界強度変化が、適応フィルタの係数の変更が受信信号を劣化させる予め定める条件としての電界急変であるか否かを判断し、電界急変であると判断すると、適応フィルタの動作を抑止する電界急変判断手段を含むことを特徴とするマルチパスノイズ軽減装置。
【請求項１０】
前記電界急変判断手段は、前記受信信号の振幅と変調度との相関関係に基づき、変調度の変化に対して振幅が滑らかに変化しない特異点の有無で、電界急変か否かを判断することを特徴とする請求項９記載のマルチパスノイズ軽減装置。
【請求項１１】
振幅に変化が生じない変調方式の無線電波を受信する際に、無線電波の伝搬過程で生じるマルチパスの影響を軽減するために、受信信号の振幅変動分を検出しながら可変フィルタのフィルタ係数を振幅変動を抑えるように変更する適応フィルタを備えるマルチパスノイズ軽減装置において、
ダイバシティ受信動作が行われるときに、ダイバシティ受信動作に伴う切換えの有無で、適応フィルタの係数の変更が受信信号を劣化させる予め定める条件が成立しているか否かを判断し、切換え有りと判断すると、適応フィルタの動作を抑止するダイバシティ切換判断手段を含むことを特徴とするマルチパスノイズ軽減装置。
【請求項１２】
振幅に変化が生じない変調方式の無線電波を受信する際に、無線電波の伝搬過程で生じるマルチパスの影響を軽減するために、受信信号の振幅変動分を検出しながら可変フィルタのフィルタ係数を振幅変動を抑えるように更新する動作を行う適応フィルタを備えるマルチパスノイズ軽減装置において、
外来ノイズ発生の有無で、適応フィルタの係数の変更が受信信号を劣化させる予め定める条件が成立しているか否かを判断し、外来ノイズ発生有りと判断すると、適応フィルタの動作を抑止する外来ノイズ判断手段を含むことを特徴とするマルチパスノイズ軽減装置。
【請求項１３】
振幅に変化が生じない変調方式の無線電波を受信する際に、無線電波の伝搬過程で生じるマルチパスの影響を軽減するために、受信信号の振幅変動分を検出しながら可変フィルタのフィルタ係数を振幅変動を抑えるように更新する動作を行う適応フィルタを備えるマルチパスノイズ軽減方法において、
適応フィルタの係数の変更が受信信号を劣化させる予め定める条件が成立しているか否かを判断し、条件が成立していると判断すると、適応フィルタの動作を抑止することを特徴とするマルチパスノイズ軽減方法。
【請求項１４】
周波数変調または位相変調の無線電波を受信して、中間周波数の受信信号に変換する高周波信号処理装置を含み、
請求項１〜１２のいずれか１つに記載のマルチパスノイズ軽減装置で、中間周波数の受信信号のマルチパスノイズを軽減することを特徴とする受信装置。
【発明の詳細な説明】
【技術分野】
【０００１】
本発明は、振幅一定の変調方式で変調されて送信される無線電波を受信する際に、伝搬中に受けるマルチパスノイズを軽減するためのマルチパスノイズ軽減装置および方法、ならびに受信装置に関する。
【背景技術】
【０００２】
従来から、振幅一定の変調方式で変調されて送信される無線電波を受信する際に、伝搬中に受けるマルチパスノイズを軽減するためには、図１８に示すようなマルチパスノイズ軽減装置１を用いることが知られている。マルチパスノイズ軽減装置１は、適応フィルタ（以下、Adaptive Digital Filter から、「ＡＤＦ」と略称する。）２を含む。マルチパスノイズ軽減装置１としてＡＤＦ２を備える受信装置３は、周波数変調（ＦＭ）や位相変調（ＰＭ）の方式で変調され、本来は振幅一定の無線電波の受信などのために用いられる。周波数変調波や位相変調波の無線電波は、通常、一定振幅で受信されるけれども、反射などが生じて複数の経路に別れた状態で受信されると、マルチパスの影響で振幅に変化が生じる。受信装置３では、受信信号をＡＤ変換器４でアナログ信号からデジタル信号に変換して、ＡＤＦ２でのデジタル信号処理でマルチパスノイズを軽減している。ＡＤＦ２でマルチパスノイズが軽減された受信信号は、検波器５で検波され、変調信号が復調される。
【０００３】
周波数変調された無線電波は、たとえば超短波（ＶＨＦ）の周波数帯で送信されるＦＭ放送電波であり、アンテナ（以下、「ＡＮＴ」と略称する。）６で受信され、電界強度に応じた高周波（ＲＦ）信号が出力される。高周波信号は、高周波増幅などのためのＲＦ部や周波数変換のためのＭＩＸ部を備えるアナログ受信処理部７でアナログ信号の状態での処理を受け、たとえば１０．７ＭＨｚ程度の中間周波（ＩＦ）信号として出力される。ＩＦ信号は、ＡＤ変換器４でデジタル信号に変換されて、ＡＤＦ２に与えられる。
【０００４】
ＡＤＦ２は、可変フィルタ部８、係数メモリ９、フィルタ係数算出手段１０およびエンベロープ算出手段１１を含む。ＡＤＦ２においては、デジタル信号に変換されたＩＦ信号の振幅変動分をエンベロープ算出手段１１によって検出し、フィルタ係数算出手段１０で振幅変動を補正するようにフィルタ係数を算出して、係数メモリ９に記憶する。可変フィルタ部８は、係数メモリ９に記憶されているフィルタ係数を用いて、ＩＦ信号へのマルチパスの影響を取り除く。
【０００５】
図１９は、ＡＤＦ２でＦＭ信号からマルチパスの影響で生じるマルチパス歪みを除去する演算処理のための構成を示す。ＡＤＦ２に入力されるデジタル化されたＩＦ信号ｘ（ｎ）は、サンプリング周波数をｆｓとし、ＩＦ信号のキャリア周波数をｆｃとすると、ｃｏｓ（２πｆｃ／ｆｓ）の信号とＩ信号分解手段１２で掛け合わされて生成されるＩ信号ｘｉ（ｎ）と、ｓｉｎ（２πｆｃ／ｆｓ）の信号とＱ信号分解手段１３で掛け合わされて生成されるＱ信号ｘｑ（ｎ）とに分解される。Ｉ信号ｘｉ（ｎ）およびＱ信号ｘｑ（ｎ）は、可変フィルタ部８と、係数メモリ９およびフィルタ係数算出手段８としてのフィルタ係数更新部に入力される。フィルタ係数更新部からは、可変フィルタ部８に、フィルタ係数ａ（ｎ），ｂ（ｎ）が出力される。可変フィルタ部８では、入力されたＩ，Ｑ信号ｘｉ（ｎ），ｘｑ（ｎ）に、係数ａ（ｎ），ｂ（ｎ）をそれぞれ掛ける演算処理の結果を、出力ｙｉ（ｎ），ｙｑ（ｎ）として導出する。出力ｙｉ（ｎ），ｙｑ（ｎ）は、ＦＭ検波器５と、フィルタ係数更新部と、エンベロープ算出手段１１である包絡線誤差算出部とにそれぞれ入力される。包絡線誤差算出部では、誤差ｅ（ｎ）を算出し、フィルタ係数更新部に与える。
【０００６】
図１９に示すようなＡＤＦ２は、本来一定であるべきＦＭ変調された受信信号の包絡線信号が、マルチパス歪によって変動する性質を利用して、包絡線が一定となるように適応させる処理を行い、自動で歪みを除去する。可変フィルタ部８の出力信号ｙｉ（ｎ）およびｙｑ（ｎ）は、次の（１），（２）式で計算され、出力される。ここで、Ｎはフィルタのタップ（filter Tap）数であり、−Ｎ≦ｋ≦Ｎである。
【０００７】
【数１】
2006287654.tif 000003
【０００８】
【数２】
2006287654.tif 000004
【０００９】
（１），（２）式から、フィルタ係数ａ（ｎ），ｂ（ｎ）を随時更新することで、マルチパス歪みを除去することができるフィルタ特性が得られる。フィルタ係数更新部は、次の（３），（４）式に従って、係数ａ（ｎ），ｂ（ｎ）を更新する。
ａｋ（ｎ＋１）＝ａｋ（ｎ）−μｅ（ｎ）｛ｘｉ（ｎ−ｋ−Ｎ）ｙｉ（ｎ）
＋ｘｑ（ｎ−ｋ−Ｎ）ｙｑ（ｎ）｝                …（３）
ｂｋ（ｎ＋１）＝ｂｋ（ｎ）−μｅ（ｎ）｛ｘｉ（ｎ−ｋ−Ｎ）ｙｑ（ｎ）
−ｘｑ（ｎ−ｋ−Ｎ）ｙｉ（ｎ）｝                …（４）
【００１０】
（３），（４）式内のμは、ステップＳｉｚｅと呼ばれ、適応処理の収束度合いを決定する定数である。また、ｅ（ｎ）は、包絡線誤差算出部で算出される誤差であり、振幅変動分に対応する。ＡＤＦ２は、この包絡線誤差を最小にするように動作し、結果としてＩＦ信号の包絡線が一定となる。包絡線誤差算出部では、次の（５）式で包絡線誤差ｅ（ｎ）を算出する。このような適応フィルタの動作は、ＬＭＳアルゴリズムと呼ばれている。
ｅ（ｎ）＝ｅｎｖ−Ａ
ｅｎｖ＝√｛ｙｉ（ｎ）2＋ｙｑ（ｎ）2｝                          …（５）
または
ｅｎｖ＝ｙｉ（ｎ）2＋ｙｑ（ｎ）2
【００１１】
図２０は、（５）式に用いる包絡線誤差ｅ（ｎ）と包絡線信号ｅｎｖとの関係を示す。包絡線ｅｎｖは、包絡線基準値Ａを中心として変動する。ＡＤＦ２のフィルタ係数を制御してＦＭ信号からマルチパスノイズを除くようにすると、たとえば中間周波数増幅器で生じるようなマルチパス歪み以外の線形歪みも自動除去する方向に動作する。
【００１２】
このようなＡＤＦを用いるマルチパス除去フィルタでは、マルチパスの原因となる反射波の特性を検出し、検出された特性に応じて初期設定を行う技術が開示されている（たとえば、特許文献１参照）。
【００１３】
【特許文献１】特許第３３５４２８６号公報
【発明の開示】
【発明が解決しようとする課題】
【００１４】
図１８に示すようなマルチパスノイズ軽減装置１では、上記動作でマルチパスに起因して発生するノイズ等を除去することができるけれども、下記のような電波状況下ではＡＤＦ２が動作することにより副作用が生じる。副作用とは、マルチパス発生状況以外でＡＤＦ２が動作する結果、元の信号に影響や変化が生じ、音声が歪む、あるいは違和感が発生することである。
【００１５】
（ａ）過変調時
過変調時には受信波に、変調成分による振幅変動が発生する。ＡＤＦ２では、その振幅変動を検出し、振幅変動を解消するように補正する動作を行うけれども、これによって検波されて得られる音声などに、後述するように歪みが発生する。さらに、過変調状態としては、次の２通りの原因で発生すると考えられる。
（ａ１）受信装置自体が持つ最大帯域幅を超えるように周波数偏移量が大きくなる過変調受信波の入力時。
（ａ２）受信希望の受信波以外に妨害波が発生している電波状況下で、受信装置の持つ混信対策機能により、妨害波を取除くように受信装置の帯域幅を制御しているために、本来なら過変調ではない周波数偏移量でも帯域幅よりも大きくなってしまう混信対策時。
【００１６】
（ｂ）弱電界時
受信波の電界強度が弱い弱電界時には、ホワイトノイズの影響により、受信波に振幅変動が発生する。ＡＤＦ２では、その振幅変動を検出し動作することで、音声に歪みが発生する。
【００１７】
（ｃ）アンテナ切換えダイバシティ受信時
マルチパスなどの受信特性を改善するために、一般的にはダイバシティ受信方式が有効である。ただし、ダイバシティ受信時に、アンテナ切換え方式が実行されると、切換えに伴って受信信号の振幅変動が発生し、音声歪みを発生するような副作用が生じる。アンテナ切換えで振幅変動が発生する状況は以下のような２通りが考えられる。
（ｃ１）切換えるアンテナ間で電界強度差が発生している場合。
（ｃ２）切換えるアンテナの少なくとも１つのアンテナにマルチパスが発生している場合。
【００１８】
本発明の目的は、適応フィルタによるマルチパスノイズ軽減での従来手法による技術的、性能的欠点を補い、無線電波の信号を快適に受信することが可能なマルチパスノイズ軽減装置および受信装置を提供することである。
【課題を解決するための手段】
【００１９】
本発明は、振幅に変化が生じない変調方式の無線電波を受信する際に、無線電波の伝搬過程で生じるマルチパスの影響を軽減するために、受信信号の振幅変動分を検出しながら可変フィルタのフィルタ係数を振幅変動を抑えるように更新する動作を行う適応フィルタを備えるマルチパスノイズ軽減装置において、
適応フィルタの係数の変更が受信信号を劣化させる予め定める条件が成立しているか否かを判断し、条件が成立していると判断すると、適応フィルタの動作を抑止する条件判断手段を含むことを特徴とするマルチパスノイズ軽減装置である。
【００２０】
本発明に従えば、マルチパスノイズ軽減装置は適応フィルタを備え、条件判断手段を含む。適応フィルタは、振幅に変化が生じない変調方式の無線電波を受信する際に、無線電波の伝搬過程で生じるマルチパスの影響を軽減するために、受信信号の振幅変動分を検出しながら可変フィルタのフィルタ係数を振幅変動を抑えるように更新する動作を行う。条件判断手段は、適応フィルタの係数の変更が受信信号を劣化させる予め定める条件が成立しているか否かを判断し、条件が成立していると判断すると、適応フィルタの動作を抑止するので、適応フィルタによるマルチパスノイズ軽減での従来手法による技術的、性能的欠点を補い、無線電波の信号を快適に受信することが可能となる。
【００２１】
さらに本発明は、振幅に変化が生じない変調方式の無線電波を受信する際に、無線電波の伝搬過程で生じるマルチパスの影響を軽減するために、受信信号の振幅変動分を検出しながら可変フィルタのフィルタ係数を振幅変動を抑えるように更新する動作を行う適応フィルタを備えるマルチパスノイズ軽減装置において、
受信信号に、適応フィルタの係数の変更が受信信号を劣化させる予め定める条件としての過変調が生じているか否かを判断し、過変調が生じていると判断すると、適応フィルタの動作を抑止する過変調判断手段を含むことを特徴とするマルチパスノイズ軽減装置である。
【００２２】
本発明に従えば、マルチパスノイズ軽減装置は適応フィルタを備え、過変調判断手段を含む。適応フィルタは、振幅に変化が生じない変調方式の無線電波を受信する際に、無線電波の伝搬過程で生じるマルチパスの影響を軽減するために、受信信号の振幅変動分を検出しながら可変フィルタのフィルタ係数を振幅変動を抑えるように更新する動作を行う。過変調判断手段は、受信信号に、適応フィルタの係数の変更が受信信号を劣化させる予め定める条件としての過変調が生じているか否かを判断し、過変調が生じていると判断すると、適応フィルタの動作を抑止するので、適応フィルタによるマルチパスノイズ軽減での従来手法による技術的、性能的欠点を補い、無線電波の信号を快適に受信することが可能となる。
【００２３】
また本発明で、前記過変調判断手段は、受信信号の周波数帯域幅と受信信号を処理する周波数帯域幅との比較に基づいて、過変調が生じているか否かを判断することを特徴とする。
【００２４】
本発明に従えば、過変調判断手段による過変調が生じているか否かの判断は、受信信号の周波数帯域幅と受信信号を処理する周波数帯域幅、すなわち受信装置の帯域幅などとの比較に基づいて行うので、実際に影響が生じる過変調であるか否かを判断することができる。
【００２５】
また本発明で、前記受信信号を処理する周波数帯域幅は、予め定めるフィルタ関数に従って動作する可変帯域フィルタで規定され、
前記適応フィルタは、前記フィルタ係数の更新を、可変帯域フィルタのフィルタ関数の逆関数を用いて行うことを特徴とする。
【００２６】
本発明に従えば、混信防止などに可変帯域フィルタを用いる場合に、そのフィルタ関数の逆関数を用いて、適応フィルタの可変フィルタのフィルタ係数の更新を行うので、可変帯域フィルタの動作に応じて適切に過変調が生じているか否かを判断することができる。
【００２７】
また本発明で、前記過変調判断手段は、妨害波の状態に応じて、過変調が生じているか否かを判断することを特徴とする。
【００２８】
本発明に従えば、妨害波の状態に応じて過変調が生じているか否かを判断するので、妨害波によって生じる過変調の影響を確実に除くことができる。
【００２９】
また本発明で、前記過変調判断手段での過変調の判断は、時定数を設けて行うことを特徴とする。
【００３０】
本発明に従えば、過変調判断手段での過変調の判断は、時定数を設けて行うので、判断が過敏にならず、誤検出を防止することができる。過変調が実際に発生していれば、マルチパスノイズに比較して長期間継続するので、時定数を設けても適応フィルタの動作を抑止する効果を充分に得ることができる。
【００３１】
また本発明では、前記受信信号の電界強度が、前記適応フィルタの係数の変更が受信信号を劣化させる予め定める条件としての弱電界であるか否かを判断し、弱電界であると判断すると、適応フィルタの動作を抑止する弱電界判断手段をさらに含むことを特徴とする。
【００３２】
本発明に従えば、過変調時とともに、弱電界時にも適応フィルタの動作を抑止するので、適応フィルタの動作によって受信信号がかえって劣化するような状況を避けることができる。
【００３３】
さらに本発明は、振幅に変化が生じない変調方式の無線電波を受信する際に、無線電波の伝搬過程で生じるマルチパスの影響を軽減するために、受信信号の振幅変動分を検出しながら可変フィルタのフィルタ係数を振幅変動を抑えるように変更する適応フィルタを備えるマルチパスノイズ軽減装置において、
受信信号の電界強度が、適応フィルタの係数の変更が受信信号を劣化させる予め定める条件としての弱電界であるか否かを判断し、弱電界であると判断すると、適応フィルタの動作を抑止する弱電界判断手段を含むことを特徴とするマルチパスノイズ軽減装置である。
【００３４】
本発明に従えば、マルチパスノイズ軽減装置は適応フィルタを備え、弱電界判断手段を含む。適応フィルタは、振幅に変化が生じない変調方式の無線電波を受信する際に、無線電波の伝搬過程で生じるマルチパスの影響を軽減するために、受信信号の振幅変動分を検出しながら可変フィルタのフィルタ係数を振幅変動を抑えるように更新する動作を行う。弱電界判断手段は、受信信号の電界強度が、適応フィルタの係数の変更が受信信号を劣化させる予め定める条件としての弱電界であるか否かを判断し、弱電界であると判断すると、適応フィルタの動作を抑止するので、適応フィルタによるマルチパスノイズ軽減での従来手法による技術的、性能的欠点を補い、無線電波の信号を快適に受信することが可能となる。
【００３５】
さらに本発明は、振幅に変化が生じない変調方式の無線電波を受信する際に、無線電波の伝搬過程で生じるマルチパスの影響を軽減するために、受信信号の振幅変動分を検出しながら可変フィルタのフィルタ係数を振幅変動を抑えるように変更する適応フィルタを備えるマルチパスノイズ軽減装置において、
受信信号の電界強度変化が、適応フィルタの係数の変更が受信信号を劣化させる予め定める条件としての電界急変であるか否かを判断し、電界急変であると判断すると、適応フィルタの動作を抑止する電界急変判断手段を含むことを特徴とするマルチパスノイズ軽減装置である。
【００３６】
本発明に従えば、マルチパスノイズ軽減装置は適応フィルタを備え、電界急変判断手段を含む。適応フィルタは、振幅に変化が生じない変調方式の無線電波を受信する際に、無線電波の伝搬過程で生じるマルチパスの影響を軽減するために、受信信号の振幅変動分を検出しながら可変フィルタのフィルタ係数を振幅変動を抑えるように更新する動作を行う。電界急変判断手段は、受信信号の電界強度変化が、適応フィルタの係数の変更が受信信号を劣化させる予め定める条件としての電界急変であるか否かを判断し、電界急変であると判断すると、適応フィルタの動作を抑止するので、適応フィルタによるマルチパスノイズ軽減での従来手法による技術的、性能的欠点を補い、無線電波の信号を快適に受信することが可能となる。
【００３７】
また本発明で、前記電界急変判断手段は、前記受信信号の振幅と変調度との相関関係に基づき、変調度の変化に対して振幅が滑らかに変化しない特異点の有無で、電界急変か否かを判断することを特徴とする。
【００３８】
本発明に従えば、電界急変か否かの判断を、受信信号の振幅と変調度との相関関係における特異点の有無に基づいて行うので、信号処理で確実な判断を行うことができる。
【００３９】
さらに本発明は、振幅に変化が生じない変調方式の無線電波を受信する際に、無線電波の伝搬過程で生じるマルチパスの影響を軽減するために、受信信号の振幅変動分を検出しながら可変フィルタのフィルタ係数を振幅変動を抑えるように変更する適応フィルタを備えるマルチパスノイズ軽減装置において、
ダイバシティ受信動作が行われるときに、ダイバシティ受信動作に伴う切換えの有無で、適応フィルタの係数の変更が受信信号を劣化させる予め定める条件が成立しているか否かを判断し、切換え有りと判断すると、適応フィルタの動作を抑止するダイバシティ切換判断手段を含むことを特徴とするマルチパスノイズ軽減装置である。
【００４０】
本発明に従えば、マルチパスノイズ軽減装置は適応フィルタを備え、ダイバシティ切換判断手段を含む。適応フィルタは、振幅に変化が生じない変調方式の無線電波を受信する際に、無線電波の伝搬過程で生じるマルチパスの影響を軽減するために、受信信号の振幅変動分を検出しながら可変フィルタのフィルタ係数を振幅変動を抑えるように更新する動作を行う。ダイバシティ切換判断判断手段は、ダイバシティ受信動作が行われるときに、ダイバシティ受信動作に伴う切換えの有無で、適応フィルタの係数の変更が受信信号を劣化させる予め定める条件が成立しているか否かを判断し、切換え有りと判断すると、適応フィルタの動作を抑止するので、適応フィルタによるマルチパスノイズ軽減での従来手法による技術的、性能的欠点を補い、無線電波の信号を快適に受信することが可能となる。
【００４１】
さらに本発明は、振幅に変化が生じない変調方式の無線電波を受信する際に、無線電波の伝搬過程で生じるマルチパスの影響を軽減するために、受信信号の振幅変動分を検出しながら可変フィルタのフィルタ係数を振幅変動を抑えるように更新する動作を行う適応フィルタを備えるマルチパスノイズ軽減装置において、
外来ノイズ発生の有無で、適応フィルタの係数の変更が受信信号を劣化させる予め定める条件が成立しているか否かを判断し、外来ノイズ発生有りと判断すると、適応フィルタの動作を抑止する外来ノイズ判断手段を含むことを特徴とするマルチパスノイズ軽減装置である。
【００４２】
本発明に従えば、マルチパスノイズ軽減装置は適応フィルタを備え、外来ノイズ判断手段を含む。適応フィルタは、振幅に変化が生じない変調方式の無線電波を受信する際に、無線電波の伝搬過程で生じるマルチパスの影響を軽減するために、受信信号の振幅変動分を検出しながら可変フィルタのフィルタ係数を振幅変動を抑えるように更新する動作を行う。外来ノイズ判断判断手段は、外来ノイズ発生の有無で、適応フィルタの係数の変更が受信信号を劣化させる予め定める条件が成立しているか否かを判断し、外来ノイズ発生有りと判断すると、適応フィルタの動作を抑止するので、適応フィルタによるマルチパスノイズ軽減での従来手法による技術的、性能的欠点を補い、無線電波の信号を快適に受信することが可能となる。
【００４３】
さらに本発明は、振幅に変化が生じない変調方式の無線電波を受信する際に、無線電波の伝搬過程で生じるマルチパスの影響を軽減するために、受信信号の振幅変動分を検出しながら可変フィルタのフィルタ係数を振幅変動を抑えるように更新する動作を行う適応フィルタを備えるマルチパスノイズ軽減方法において、
適応フィルタの係数の変更が受信信号を劣化させる予め定める条件が成立しているか否かを判断し、条件が成立していると判断すると、適応フィルタの動作を抑止することを特徴とするマルチパスノイズ軽減方法である。
【００４４】
本発明に従えば、マルチパスノイズ軽減装置は適応フィルタを備える。適応フィルタは、振幅に変化が生じない変調方式の無線電波を受信する際に、無線電波の伝搬過程で生じるマルチパスの影響を軽減するために、受信信号の振幅変動分を検出しながら可変フィルタのフィルタ係数を振幅変動を抑えるように更新する動作を行う。適応フィルタの係数の変更が受信信号を劣化させる予め定める条件が成立しているか否かを判断し、条件が成立していると判断すると、適応フィルタの動作を抑止するので、適応フィルタによるマルチパスノイズ軽減での従来手法による技術的、性能的欠点を補い、無線電波の信号を快適に受信することが可能となる。
【００４５】
さらに本発明は、周波数変調または位相変調の無線電波を受信して、中間周波数の受信信号に変換する高周波信号処理装置を含み、
前述のいずれか１つに記載のマルチパスノイズ軽減装置で、中間周波数の受信信号のマルチパスノイズを軽減することを特徴とする受信装置である。
【００４６】
本発明に従えば、受信装置は、高周波信号処理装置とマルチパスノイズ軽減装置とを含む。高周波信号処理装置は、周波数変調または位相変調の無線電波を受信して、中間周波数の受信信号に変換する。マルチパスノイズ軽減装置は、中間周波数に変換された受信信号についてマルチパスノイズ軽減のための適応フィルタを用いる信号処理を、適応フィルタの係数の変更が受信信号を劣化させる予め定める条件が成立していないときに行うので、適応フィルタによるマルチパスノイズ軽減での従来手法による技術的、性能的欠点を補い、無線電波の信号を快適に受信することが可能になる。
【発明の効果】
【００４７】
本発明によれば、適応フィルタの係数の変更が受信信号を劣化させる予め定める条件が成立しているか否かを判断し、条件が成立していると判断すると、適応フィルタの動作を抑止する条件判断手段を含むので、適応フィルタによるマルチパスノイズ軽減での従来手法による技術的、性能的欠点を補い、無線電波の信号を快適に受信することが可能となる。
【００４８】
さらに本発明によれば、適応フィルタの係数の変更が受信信号を劣化させる予め定める条件としての過変調が生じているか否かを判断し、過変調が生じていると判断すると、適応フィルタの動作を抑止する過変調判断手段を含むので、適応フィルタによるマルチパスノイズ軽減での従来手法による技術的、性能的欠点を補い、無線電波の信号を快適に受信することが可能となる。
【００４９】
また本発明によれば、受信信号の周波数帯域幅と受信信号を処理する周波数帯域幅との比較に基づいて過変調の判断を行うので、実際に影響が生じる過変調であるか否かを判断することができる。
【００５０】
また本発明によれば、混信防止などに可変帯域フィルタを用いる場合にも、可変帯域フィルタの動作に応じて適切に過変調が生じているか否かを判断することができる。
また本発明によれば、妨害波によって生じる過変調の影響を確実に除くことができる。
【００５１】
また本発明によれば、過変調の判断を時定数を設けて行うので、誤検出を防止することができる。過変調が実際に発生していれば、マルチパスノイズに比較して長期間継続するので、時定数を設けても適応フィルタの動作を抑止する効果を充分に得ることができる。
【００５２】
また本発明によれば、過変調時とともに、弱電界時にも適応フィルタの動作を抑止するので、適応フィルタの動作を適切に抑止して、適応フィルタの動作で受信信号がかえって劣化するような状況を避けることができる。
【００５３】
さらに本発明によれば、受信信号の電界強度が、適応フィルタの係数の変更が受信信号を劣化させる予め定める条件としての弱電界であると判断すると、適応フィルタの動作を抑止するので、適応フィルタによるマルチパスノイズ軽減での従来手法による技術的、性能的欠点を補い、無線電波の信号を快適に受信することが可能となる。
【００５４】
さらに本発明によれば、受信信号の電界強度変化が、適応フィルタの係数の変更が受信信号を劣化させる予め定める条件としての電界急変であると判断すると、適応フィルタの動作を抑止するので、適応フィルタによるマルチパスノイズ軽減での従来手法による技術的、性能的欠点を補い、無線電波の信号を快適に受信することが可能となる。
【００５５】
また本発明によれば、受信信号の振幅と変調度との相関関係に特異点が有れば電界急変と判断するので、信号処理で確実な判断を行うことができる。
【００５６】
さらに本発明によれば、ダイバシティ受信動作が行われるときに、ダイバシティ受信動作に伴う切換えの有無で、適応フィルタの係数の変更が受信信号を劣化させる予め定める条件が成立していると判断し、適応フィルタの動作を抑止するので、適応フィルタによるマルチパスノイズ軽減での従来手法による技術的、性能的欠点を補い、無線電波の信号を快適に受信することが可能となる。
【００５７】
さらに本発明によれば、適応フィルタの係数の変更が受信信号を劣化させる予め定める条件としての外来ノイズ発生有りと判断すると、適応フィルタの動作を抑止するので、適応フィルタによるマルチパスノイズ軽減での従来手法による技術的、性能的欠点を補い、無線電波の信号を快適に受信することが可能となる。
【００５８】
さらに本発明によれば、適応フィルタの係数の変更が受信信号を劣化させる予め定める条件が成立しているか否かを判断し、条件が成立していると判断すると、適応フィルタの動作を抑止するので、適応フィルタによるマルチパスノイズ軽減での従来手法による技術的、性能的欠点を補い、無線電波の信号を快適に受信することが可能となる。
【００５９】
さらに本発明によれば、受信装置は、中間周波数に変換された受信信号についてマルチパスノイズ軽減のための適応フィルタを用いる信号処理を、適応フィルタの係数の変更が受信信号を劣化させる予め定める条件が成立していないときに行うので、適応フィルタによるマルチパスノイズ軽減での従来手法による技術的、性能的欠点を補い、無線電波の信号を快適に受信することが可能になる。
【発明を実施するための最良の形態】
【００６０】
以下、図面に基づいて、本発明を実施するための形態を説明する。複数の形態では、先行して説明している形態に対応する部分に同一の参照符を付し、重複する説明を省略する。また、機能に重複が生じていない形態は、組合わせて実施することもできる。
【００６１】
図１は、本発明の実施の一形態としてのマルチパスノイズ軽減装置２０の概略的な構成を示す。マルチパスノイズ軽減装置２０は、ＡＤＦ２１および過変調判断手段２２を含む。ＡＤＦ２１は、基本的に、図１８に示すようなＡＤＦ１と同様な適応フィルタとしての動作を行う。マルチパスノイズ軽減装置２０としてＡＤＦ２１を備える受信装置２３は、周波数変調（ＦＭ）や位相変調（ＰＭ）の方式で変調され、本来は振幅一定の無線電波の受信などのために用いられる。受信装置２３では、受信信号をＡＤ変換器２４でアナログ信号からデジタル信号に変換して、ＡＤＦ２１でのデジタル信号処理でマルチパスノイズを軽減している。ＡＤＦ２１でマルチパスノイズが軽減された受信信号は、検波器２５で検波され、変調信号が復調される。以上のようなマルチパス軽減装置２０は、ＡＤ変換部２４を除いて、デジタル信号プロセッサ（ＤＳＰ）による演算動作で実現することができる。ＤＳＰとＡＤ変換器２４とを、半導体集積回路（ＩＣ）として、一体化することもできる。
【００６２】
受信装置２３が受信する無線電波は、たとえば超短波（ＶＨＦ）の周波数帯で送信されるＦＭ放送電波であり、ＡＮＴ２６で受信され、電界強度に応じた高周波（ＲＦ）信号が出力される。高周波信号は、高周波増幅などのためのＲＦ部や周波数変換のためのＭＩＸ部を備えるアナログ受信処理部２７でアナログ信号の状態での処理を受け、たとえば１０．７ＭＨｚ程度の中間周波（ＩＦ）信号として出力される。ＩＦ信号は、ＡＤ変換器２４でデジタル信号に変換される。
【００６３】
ＡＤＦ２１は、可変フィルタ部２８、係数メモリ２９、フィルタ係数算出手段３０およびエンベロープ算出手段３１とともに、係数更新許可手段３２を含む。ＡＤＦ２１においては、デジタル信号に変換されたＩＦ信号の振幅変動分をエンベロープ算出手段３１によって検出し、フィルタ係数算出手段３０で振幅変動を補正するようにフィルタ係数を算出して、係数メモリ２９に記憶する。可変フィルタ部２８は、係数メモリ２９に記憶されているフィルタ係数を用いて、ＩＦ信号へのマルチパスの影響を取り除く。ＡＤＦ２１では、係数更新許可手段３２を設け、ＡＤＦ２１の動作で副作用が生じるような条件では、係数更新の動作を禁止するようにしている。
【００６４】
ＡＤＦ２１の係数更新許可手段３２には、過変調判断手段２２による係数更新許可か否かの判断結果が入力される。過変調判断手段２２での判断に要する時間を調整するために、ＡＤ変換器２４からＡＤＦ２１に入力するＩＦ信号は、遅延手段３３でＤＥＬＡＹが与えられる。過変調判断手段２２は、検波器３４、変調度検出器３５および比較器３６を含む。検波器３４は、ＡＤ変換器２４で変換されたデジタル信号のＩＦ信号を周波数検波し、変調度検出器３５は周波数偏移量から変調度を検出する。比較器３６は、検出された変調度を予め設定されている基準と比較し、変調度が基準を超えると過変調と判断して、係数更新を禁止する。係数更新の禁止は、たとえばフラグを設定して行うことができる。係数更新が禁止されると、たとえば、フィルタ係数算出手段３０は設定されたフラグを見て、新たな係数の算出は行わない。なお、すでに係数の算出を開始していれば、その算出結果は、係数メモリ９に記憶され、係数更新禁止以後の可変フィルタ部２８でのフィルタ演算に使用される。この結果、可変フィルタ部２８は、係数更新禁止直後の係数に固定されることになる。なお、係数更新禁止ではなく、ＡＤＦ２１をバイパスして、遅延手段３３の出力を検波器２５に直接入力するようにしてもよい。すなわち、適応フィルタの動作による影響を少なくとも通常よりは抑止するようにすればよい。
【００６５】
ＦＭ変調された無線信号の変調度は、受信信号の周波数偏移量を、標準的な周波数偏移量と比較して表すことができる。ＦＭ放送などでは、たとえば７５ｋＨｚの周波数偏移が変調度１００％に対応している。ただし、受信装置２３では、受信信号へ影響を避けるために、受信周波数帯域幅は、たとえば１５０ｋＨｚに設定している。したがって、１００％を超える過変調が生じても、直ちに影響が生じる訳ではない。ただし、変調度が２００％に近くなると、受信周波数帯域を決定しているフィルタの特性が平坦ではなくなり、過変調の影響が大きくなる。
【００６６】
図２は、ＡＤＦ２１によるマルチパスノイズ低減の効果の例と、過変調時の歪悪化の副作用の例とを示す。図２で、（ａ）として示す上段側はＡＤＦ２１を動作させない場合を示し、（ｂ）として示す下段側はＡＤＦ２１を動作させる場合を示す。過変調時には、ＡＤＦ２１を動作させることによって、歪悪化の結果となってしまう。図１のマルチパス軽減装置２０では、過変調検出時にはＡＤＦ動作をＯＦＦすることによって、マルチパスノイズ軽減と、それに伴う過変調時の歪み特性の悪化とを防止し、両立を可能にすることができる。
【００６７】
図３は、本発明の実施の他の形態としてのマルチパスノイズ軽減装置４０の概略的な構成を示す。マルチパスノイズ軽減装置４０は、図１のマルチパスノイズ軽減装置２０の過変調判断手段２２に代えて、妨害検出手段４１および過変調判断手段４２を含む。マルチパスノイズ軽減装置４０を含む受信装置４３は、ＩＦ信号の帯域幅を、可変ＢＰＦ（帯域通過フィルタ）４４で制限し、隣接妨害波に対する混信対策を行うことができる。隣接妨害波の有無は、妨害検出手段４１によって検出される。妨害検出手段４１は、受信装置４３の最大帯域幅よりも外側の周波数を部分的に通過させるノッチフィルタなどで実現される。可変ＢＰＦ４４は、隣接妨害波が検出されると、通過帯域幅を制限し、混信を防止することができる。このような可変ＢＰＦ４４と妨害検出手段４１とは、混信対策ブロックを構成する。受信装置４３が自動車などの移動体に搭載されるような場合、時々刻々受信環境が変化する電波状況にあり、隣接局による混信を対策する上で有効なブロックとなる。
【００６８】
過変調判断手段４２は、検波器３４、変調度検出器３５および比較器４６を含む。比較器４６は、妨害検出手段４１が検出する隣接妨害波に基づいて帯域が制限される可変ＢＰＦ４４のカットオフ周波数情報Ｆｃを基準として、可変ＢＰＦ４４を通過したＩＦ信号を検波器３４で検波し、変調度検出器３５で検出する変調度が過変調であるか否かを判断し、過変調であると判断すると、ＡＤＦ２１の動作を禁止する。つまり、隣接妨害の状態によりカットオフ周波数情報Ｆｃが変わるので、このＦｃを検出するようにしている。
【００６９】
すなわち、図１の過変調判断手段２１は、希望信号の変調度と、予め既知である受信装置２３の帯域幅との比較から過変調状態を認識し、ＡＤＦ２１の動作を禁止する係数制御などを行うものであるが、受信装置４３のように妨害対策が行われるものであれば、受信装置４３の帯域幅は変化することになる。たとえば、受信装置４３の最大帯域幅は１５０ｋＨｚであるとする。９８．１ＭＨｚのＦＭ放送受信時、変調度が７５ｋＨｚ／deviation である場合を想定する。この場合、９８．３ＭＨｚに妨害局が存在した場合、妨害検出手段４１が妨害を検出し、可変ＢＰＦ４４は、帯域幅を、たとえば１５０ｋＨｚ→５０ｋＨｚに絞る動作を行う。この場合、本来は過変調ではなくても、可変ＢＰＦ４４の影響により、希望信号に歪みを発生させることになり、ＡＤＦ２１を動作させている場合は、さらに歪みが増大することになる。このときに、可変ＢＰＦ４４のＦｃ情報と変調度とを比較することによってＡＤＦ制御を行えば、信号歪みの悪化を防止することが可能となり、妨害対策機能とマルチパス軽減機能との両立を可能とすることができる。広帯域の隣接妨害波の存在が妨害検出手段４１で検出されると、可変ＢＰＦ４４の周波数帯域ＢＷを絞るためのＢＷ制御が行われる。
【００７０】
図４は、本発明の実施のさらに他の形態としてのマルチパスノイズ軽減装置５０の概略的な構成を示す。マルチパスノイズ軽減装置５０では、図１のマルチパスノイズ軽減装置２０の過変調判断手段２１に代えて、弱電界判断手段５２が用いられる。受信装置５３は、アナログ受信処理部２７などで、自動利得制御（ＡＧＣ）などのために電界強度情報を生成している。弱電界判断手段５２は、電界情報取得手段５４で電界強度情報を取得し、比較器５６で弱電界か否かを比較する。弱電界は、ＩＦ信号にホワイトノイズいよるエンベロープが発生する電界強度以下の状態とする。弱電界判断手段５２は、弱電界以下の電界強度では、ＡＤＦ２１の動作を禁止する制御を行う。これによって、電界強度が弱い時にＡＤＦ動作をＯＦＦにすることができ、マルチパスノイズ軽減と弱電界時の歪み特性の劣化防止との両立を可能とすることができる。
【００７１】
図５は、本発明の実施のさらに他の形態としてのマルチパスノイズ軽減装置６０の概略的な構成を示す。マルチパスノイズ軽減装置６０では、マルチパスノイズ軽減を、主アンテナ（ＭＡＩＮ＿ＡＮＴ）と副アンテナ（ＳＵＢ＿ＡＮＴ）との切換によるダイバシティ受信を併用して行う。ダイバシティ受信装置６１は、ダイバシティ制御ブロック６２を、ダイバシティ切換え判断手段としても機能させ、切換え時に、ＡＤＦ２１の動作を禁止させる。ダイバシティ受信装置６１は、ダイバシティ制御ブロック６２とともに、マルチパス検出ブロック６４、電界強度検出ブロック６５およびＡＮＴ切換えＳＷ６６を含む。マルチパス検出ブロック６４はマルチパスの発生の有無を検出し、電界強度検出ブロック６５は、受信する無線電波の電界強度を検出する。ＡＮＴ切換えＳＷ６６は、主アンテナと副アンテナとを切換えるスイッチであり、ダイバシティ制御ブロック６２によって切換えは制御される。
【００７２】
ダイバシティ受信動作で、アンテナを切換えるタイミングでは、ＡＤＦ２１に入力されるＩＦ信号に急激な変化が発生している。ＡＤＦ２１がそれに反応して係数更新を行うと、信号歪みや異音が発生してしまう。このため、アンテナの切換えなどのダイバシティ受信での切換え動作を行うタイミングでＡＤＦ２１の動作を禁止する。これによって、マルチパスノイズ軽減と弱電界時の歪み特性の劣化防止との両立を可能とすることができる。
【００７３】
図６は、本発明の実施のさらに他の形態としてのマルチパスノイズ軽減装置７０の概略的な構成を示す。マルチパスノイズ軽減装置７０では、図３のマルチパスノイズ軽減装置４０での過変調判断手段４２と、図４の弱電界判断手段５２とを組合わせた条件判断手段７２を含む。条件判断手段７２は、過変調と弱電界との判断結果の論理和（ＯＲ）をＯＲ回路７３で判断し、判断結果でＡＤＦ２１の動作を禁止する。過変調か弱電界かの一方が成立していればＡＤＦ２１の動作が禁止されるので、より高精度な制御が実現可能となる。
【００７４】
図７は、ＡＤＦ２１の動作として、係数更新手法に、可変ＢＰＦ４４のフィルタ関数の逆関数を用いる構成を示す。過変調歪みは、隣接妨害波除去用可変ＩＦフィルタである可変ＢＰＦ４４によって発生する。この可変ＢＰＦ４４の帯域幅が絞られると、ＩＦ信号に振幅変化が生じる。エンベロープ算出手段８０は、この振幅変化を算出する。フィルタ係数算出手段８１は、補正値Ｋを、１／Ｆ（｜Δｆ｜）として算出する。Δｆは、変調度検出手段８２によっては、検出される。Ｆは、可変ＢＰＦ４４のフィルタ関数Ｇの逆関数である。
【００７５】
図８は、ＩＦ信号と可変ＢＰＦ４４のフィルタ関数Ｇ（ｆ）との関係を示す。エンベロープ算出手段８０の出力信号を０に近付けて、ＡＤＦ２１から見ると、混変調時に図２０のｅｎｖ値を一定にすることで、ＡＤＦ２１の効果を弱めることができる。
【００７６】
図９は、補正値Ｋによって、ＡＤＦ２１から見た目上のエンベロープ値が一定になっている状態を示す。
【００７７】
図１０および図１１は、変調度検出器３５から出力される変調度検出信号に時定数を掛けて誤検出を防止する状態を示す。図１０は、過変調時の過変調検出信号に時定数を掛けて、ＡＤＦ２１の動作を禁止する係数更新制御信号がＯＮとなる閾値Ｖｔｈまで上昇するのに時間がかかっても、係数更新制御信号はＯＮになることを示す。図１１は、マルチパスノイズ発生時の変調度検出信号では、短時間であるので、時定数を掛けると閾値Ｖｔｈまで上昇せず、係数更新制御信号はＯＦＦを続け、ＡＤＦ２１の動作は禁止されず、マルチパスノイズ軽減が継続して行われる。
【００７８】
変調度検出器３５は、過変調検出をＦＭ検波信号レベルの最大値（ＭＡＸＨＯＬＤ）を用いて行う。図１１に示すように、マルチパスノイズ発生時にも、過変調時同様に、ＦＭ検波信号レベルが増大するため、変調度検出信号を用いて過変調の検出を行うと、マルチパスノイズ発生時にもＡＤＦ動作を禁止してしまう可能性がある。そこで、こういった事態を回避するため、変調度検出信号に時定数を設けることで、過変調時とマルチパスノイズ発生時との切り分けを行う。過変調時は、変調度検出信号の発生時間が長くなるので、時定数を設けても充分に検出可能である。
【００７９】
本発明の実施のさらに他の形態としては、電界急変時とマルチパスノイズ発生時とを判断し、電界急変時にはＡＤＦ２１の動作を禁止することもできる。電界急変時とマルチパスノイズ発生時との切り分け方法としては、振幅と変調との相関の有無によって判断することで行う。変調との相関の有無を知る手法としては、変調度（周波数偏移）に対するＩＦ信号の振幅の特異点の有無を用いることができる。
【００８０】
図１２は、ＩＦ信号を検波した信号の周波数偏移Δｆの時間変化を示す。振幅を複数のレベルＬ１，Ｌ２，…，Ｌ−１，Ｌ−２，…，に分けて周波数偏移Δｆを分割する。
【００８１】
図１３は、変調による周波数偏移Δｆの分割したレベルと振幅との関係には、特異点が生じることを示す。特異点は、たとえば振幅を周波数偏移で微分して、ある程度大きな変化が生じたり、符号が反転したりする点として検出される。
【００８２】
図１４は、ＡＤＦ２１の動作のＯＮ／ＯＦＦの判断基準を示す。振幅に変動が有り、かつ特異点があればマルチパスノイズ発生として、ＡＤＦ２１をＯＮとする。振幅に変動が有り、特異点が存在しなければ電界急変時と判断して、ＡＤＦ２１の動作をＯＦＦにして禁止する。振幅変動がなければ、ＡＤＦ２１の動作はＯＦＦとする。
【００８３】
図１５は、図１４に示すようにＡＤＦ２１の動作をＯＮ／ＯＦＦするための構成を示す。電界急変判断手段９１は、振幅検出手段９２、ハイパスフィルタ（ＨＰＦ）９３、変動検出手段９４およびＦＭ検波器９５を含む。振幅検出手段９２は、たとえばＳメータ信号に基づいてＩＦ信号の振幅を検出する。ハイパスフィルタ９３は高域成分を通過させ、変動検出手段９４で変動分を検出する。ＦＭ検波器９５は、ＩＦ信号を検波して周波数偏移Δｆを検出する。周波数偏移Δｆは、Ｌａ，Ｌｂ，Ｌｃなどの複数のレベルに、Δｆ分割手段９５ａ，９５ｂ，９５ｃによって分割され、レジスタ９７ａ，９７ｂ，９７ｃにそれぞれ格納される振幅に基づいて特異点を検出する。変動検出手段９４が変動を検出し、かつ特異点検出手段が特異点を検出していることを、ＡＮＤ回路９９で判断し、図１４に示すようなマルチパス時の動作を行う。特異点検出手段９８は、レジスタ９７ａ，９７ｂ，９７ｃに格納されるレベル特異点を検出する。
【００８４】
図１６は、本発明の実施のさらに他の形態としてのマルチパスノイズ軽減装置１００の概略的な構成を示す。マルチパスノイズ軽減装置１００では、外来ノイズ判断手段１０２がＩＦ信号に外来ノイズ混入と判断すると、ＡＤＦ２１の動作を禁止する。受信装置１０３では、目的の無線電波とともに、外来ノイズが混入する場合あがある。外来ノイズ判断手段１０２は、SideSpectrum部抽出用フィルタ１０４および比較／制御フラグ生成部１０５を含む。外来ノイズの周波数成分は全帯域に存在しているために、ＩＦ信号に混入した外来ノイズ検出は、図１７に示す−Δｆｍａｘ〜Δｆｍａｘ以外のSideSpectrum部分を抽出して行う。ただし、発生時間が短い単発系のノイズに対しては制御を行わずに、ある程度長い外来ノイズに対してその発生区間はＡＤＦ２１の動作を禁止するようにすることが好ましい。比較／制御フラグ生成部１０５は、そのような発生時間による制御を、たとえば、図１０および図１１のような時定数を掛けることなどで行う。
【図面の簡単な説明】
【００８５】
【図１】本発明の実施の一形態としてのマルチパスノイズ軽減装置２０の概略的な構成を示すブロック図である。
【図２】図１のＡＤＦ２１による過変調時の歪悪化の副作用の例を示す波形図である。
【図３】本発明の実施の他の形態としてのマルチパスノイズ軽減装置４０の概略的な構成を示すブロック図である。
【図４】本発明の実施のさらに他の形態としてのマルチパスノイズ軽減装置５０の概略的な構成を示すブロック図である。
【図５】本発明の実施のさらに他の形態としてのマルチパスノイズ軽減装置６０の概略的な構成を示すブロック図である。
【図６】本発明の実施のさらに他の形態としてのマルチパスノイズ軽減装置７０の概略的な構成を示すブロック図である。
【図７】図３などのＡＤＦ２１の動作として、係数更新手法に、可変ＢＰＦ４４のフィルタ関数の逆関数を用いる構成を示すブロック図である。
【図８】図７で、ＩＦ信号と可変ＢＰＦ４４のフィルタ関数Ｇ（ｆ）との関係を示すグラフである。
【図９】図７で、補正値Ｋによって、ＡＤＦ２１から見た目上のエンベロープ値が一定になっている状態を示す波形図である。
【図１０】図１などの変調度検出器３５から、混変調時に出力される変調度検出信号に時定数を掛けている状態を示す波形図である。
【図１１】図１などの変調度検出器３５から、マルチパスノイズ発生時に出力される変調度検出信号に時定数を掛けて、誤検出を防止する状態を示す波形図である。
【図１２】ＩＦ信号の信号レベルの時間変化を示す波形図である。
【図１３】変調による周波数偏移Δｆの分割したレベルと振幅との関係には、特異点が生じることを示すグラフである。
【図１４】ＡＤＦ２１の動作のＯＮ／ＯＦＦの判断基準を示す図表である。
【図１５】図１４に示すようにＡＤＦ２１の動作をＯＮ／ＯＦＦするための構成を示すブロック図である。
【図１６】本発明の実施のさらに他の形態としてのマルチパスノイズ軽減装置１００の概略的な構成を示すブロック図である。
【図１７】外来ノイズのスペクトラムを示すグラフである。
【図１８】従来からのマルチパスノイズ軽減装置１の概略的な構成を示すブロック図である。
【図１９】図１８のＡＤＦ２でＦＭ信号からマルチパスの影響で生じるマルチパス歪みを除去する演算処理のための構成を示すブロック図である 。
【図２０】包絡線誤差ｅ（ｎ）と包絡線信号ｅｎｖとの関係を示す波形図である。
【符号の説明】
【００８６】
２０，４０，５０，６０，７０，１００  マルチパスノイズ軽減装置
２１  ＡＤＦ
２２，４２  過変調判断手段
２３，４３，５３，６３，７３，１０３  受信装置
３０，８１  フィルタ係数算出手段
３２  係数更新許可手段
３５  変調度検出器
４１  妨害検出手段
４４  可変ＢＰＦ
５２  弱電界判断手段
５４  電界強度情報取得手段
６２  ダイバシティ制御ブロック
７２  条件判断手段
９１  電界急変判断手段
１０２  外来ノイズ判断手段
【図１】
2006287654.tif 000005
【図２】
2006287654.tif 000006
【図３】
2006287654.tif 000007
【図４】
2006287654.tif 000008
【図５】
2006287654.tif 000009
【図６】
2006287654.tif 000010
【図７】
2006287654.tif 000011
【図８】
2006287654.tif 000012
【図９】
2006287654.tif 000013
【図１０】
2006287654.tif 000014
【図１１】
2006287654.tif 000015
【図１２】
2006287654.tif 000016
【図１３】
2006287654.tif 000017
【図１４】
2006287654.tif 000018
【図１５】
2006287654.tif 000019
【図１６】
2006287654.tif 000020
【図１７】
2006287654.tif 000021
【図１８】
2006287654.tif 000022
【図１９】
2006287654.tif 000023
【図２０】
2006287654.tif 000024